(57)【特許請求の範囲】
【請求項１】
柱状のアンテナ線支持部材にアンテナ線をコイル状に巻回したアンテナコイルの巻き付け構造において、前記アンテナ線支持部材の横断面外周部は凹凸部を備えており、前記アンテナ線は前記アンテナ線支持部材の外周面の形状に沿ってコイル状に巻回されていることを特徴とするアンテナコイルの巻き付け構造。
【請求項２】
前記凹凸部は、前記アンテナ線支持部材の横断面外周部全体に配設されていることを特徴とする請求項１に記載のアンテナコイルの巻き付け構造。
【発明の詳細な説明】
【技術分野】
【０００１】
本発明は、アンテナ線支持部材にアンテナ線をコイル状に巻回したアンテナロッドにおけるアンテナコイルの巻き付け構造に関する。
【背景技術】
【０００２】
従来のアンテナコイルの巻き付け構造については、図２（a）に見られるように、横断面形状が円形のアンテナ線支持部材２’の外周にアンテナ線１をコイル状に巻回した構造のものがあり、或いは、図２（ｂ）に見られるように、円形の横断面のアンテナ線支持部材の欠点であった巻き線ピッチの乱れをなくして安定した特性を確保できるようにその断面形状を多角形に改良したアンテナ線支持部材２”の外周にアンテナ線１を巻回した構造のものが特許文献１に開示されている。
【０００３】
一方、ユーザーからのニーズとして、アンテナロッドのコンパクト化技術が求められている。しかし、アンテナコイルの最適長さは、捕捉しようとする電波の波長により決定されるので、アンテナロッドのコンパクト化については、結果としてアンテナコイルの長さを減じることになっては意味がない。すなわち、同じ長さのアンテナ線支持部材に従来よりも長いアンテナ線を巻き付けることができる技術、言い換えれば、従来のアンテナ線の巻き付け長さを維持しつつアンテナ線支持部材を短くすることができる技術が求められている。
【０００４】
また、アンテナ線支持部材の長さは、アンテナコイルの長さ、コイル径、巻きピッチ、アンテナ線支持部材の径によって決まってしまう。言い換えると、従来技術においては、アンテナコイルの長さ、コイル径、巻きピッチ、アンテナ線支持部材の径のいずれかを変えなければアンテナ線支持部材の長さを短くすることはできない。
【０００５】
しかし、アンテナコイルの長さを短くすることは、捕捉しようとする電波に対するアンテナコイルの最適長さの確保との関係で得策ではなく、巻き線ピッチについてもインダクタンスその他の関係で最適ピッチをむやみに変更するのは得策ではない。また、コイル径或いはアンテナ線支持部材の径を太くすれば従来のアンテナ線の巻き付け長さを維持しつつアンテナ線支持部材を短くすることができるが、このことはアンテナ線支持部材の生産コストのアップとなるとともに結果としてコンパクト化に反することとなってしまうという問題がある。
【０００６】
【特許文献１】特開２００２−３３００１７号公報
【発明の開示】
【発明が解決しようとする課題】
【０００７】
本発明は、上記従来技術が有する問題点を解決しようとするものであり、アンテナコイルの長さ、コイル径、巻きピッチ、アンテナ線支持部材の径などを変更することなしに、同じ長さのアンテナ線支持部材に従来よりも長いアンテナ線を巻き付けることができる、或いは、従来のアンテナ線の巻き付け長さを維持しつつアンテナ線支持部材を短くすることができるアンテナロッドにおけるアンテナコイルの巻き付け構造を提供するものである。
【課題を解決するための手段】
【０００８】
請求項１のアンテナコイルの巻き付け構造は、柱状のアンテナ線支持部材にアンテナ線をコイル状に巻回したアンテナコイルの巻き付け構造において、前記アンテナ線支持部材の横断面外周部は凹凸部を備えており、前記アンテナ線は前記アンテナ線支持部材の外周面の形状に沿ってコイル状に巻回されていることを特徴とするものである。
【０００９】
本発明は、以上のような構成であるから、特に、アンテナ線支持部材の横断面外周部に凹凸部を備えたことにより、同じ直径で横断面形状が単に円形或いは多角形である従来のアンテナ線支持部材に比較して横断面外周部の長さをより長くすることができ、アンテナ線は同じ長さのアンテナ線支持部材で従来よりも長く形成された外周面の形状に沿ってコイル状に巻回されている。このため、アンテナコイルの長さ、コイル径、巻きピッチ、アンテナ線支持部材の径などを変更することなしに、最適の巻き付け条件を維持しながら、同じ長さのアンテナ線支持部材に従来よりも長いアンテナ線を巻き付けることができ、或いは、従来のアンテナ線の巻き付け長さを維持しつつアンテナ線支持部材を短くすることができるという効果を奏するものである。これにより、アンテナロッドの大幅なコンパクト化を図ることができる。
【００１０】
請求項２の発明は、前記凹凸部は、前記アンテナ線支持部材の横断面外周部全体に配設されていることを特徴とする。
【００１１】
また、本発明は、以上のような構成であるから、特に、凹凸部がアンテナ線支持部材の横断面外周部全体に配設されているので、同じ直径で横断面形状が単に円形或いは多角形である従来のアンテナ線支持部材に比較して外周の長さを最大値とすることができる。このため、アンテナコイルの長さ、コイル径、巻きピッチ、アンテナ線支持部材の径などを変更することなしに、最適の巻き付け条件を維持しながら、同じ長さのアンテナ線支持部材に巻き付けるアンテナ線の長さを最大化することができ、或いは、従来のアンテナ線の巻き付け長さを維持しつつアンテナ線支持部材の長さを最小化することができるという効果を奏するものである。これにより、アンテナロッドの一層のコンパクト化を図ることができる。
【発明を実施するための最良の形態】
【００１２】
以下、図１に基づいて本発明の実施形態について説明する。図１は、本発明に係るアンテナロッドを示しており、図１（a）はその側面図、図１（ｂ）は図１（a）のＡ―Ａ線における第一の実施形態の横断面図、図１（ｃ）は図１（a）のＡ―Ａ線における他の実施形態の横断面図である。なお、図２は、図１（ｂ）及び図１（ｃ）と同様の従来技術のアンテナロッドの横断面図を示しているが、既に「背景技術」の項で説明したので詳しい説明は省略する。なお、各横断面図においては、本発明の実施形態の理解の促進を図るため、後述するチューブ状被覆部材３については省略されている。
【００１３】
図１（a）はアンテナロッドの全体像を側面から示しており、１はアンテナ線であり、柱状の例えば樹脂製のアンテナ線支持部材２の周囲にコイル状に巻回されてアンテナコイルを構成し、その周囲を例えば樹脂製のチューブ状被覆材３で被覆している。なお、４はジョイントであり、例えば自動車側に設けられているアンテナロッド支持金具（図示されていない）に取付けられる。
【００１４】
アンテナ線支持部材２は、図１（b）に見られるように、円形をベースにその外周部の全体に複数の凹凸部を形成した横断面形状を有しており、アンテナ線（アンテナコイル）１はアンテナ線支持部材２の外周部の凹凸部に沿いながらコイル状に巻回されている。したがって、本実施形態のアンテナ線支持部材２によれば、図２（a）に見られる従来技術の単なる円形の横断面形状のアンテナ線支持部材２’の外周長さに比較して外周の長さをより長くすることができるので、同じコイル径、同じ巻きピッチ、同じアンテナ線支持部材の径などの条件で、同じ長さのアンテナ線支持部材２’に対して従来よりも長いアンテナ線を巻き付けることができる。言い換えれば、本実施形態のアンテナ線支持部材２によれば、従来のアンテナ線支持部材２’よりも短いアンテナ線支持部材２を使用して従来と同じ長さのアンテナ線（アンテナコイル）１を巻回することができるものである。
【００１５】
図１（ｂ）は、本発明の別の実施形態を示しており、この場合のアンテナ線支持部材２は四角形をベースにその外周部の全体に複数の凹凸部を形成した横断面形状を有しており、同様に、アンテナ線（アンテナコイル）１はアンテナ線支持部材２の外周部の凹凸部に沿いながらコイル状に巻回されている。したがって、本実施形態のアンテナ線支持部材２によれば、図２（ｂ）に見られる従来技術の単なる四角形の横断面形状のアンテナ線支持部材２”の外周長さに比較して外周の長さをより長くすることができるので、同じコイル径、同じ巻きピッチ、同じアンテナ線支持部材の径などの条件で、同じ長さのアンテナ線支持部材２”に対して従来よりも長いアンテナ線を巻き付けることができる。言い換えれば、本実施形態のアンテナ線支持部材２によれば、従来のアンテナ線支持部材２”よりも短いアンテナ線支持部材２を使用して従来と同じ長さのアンテナ線（アンテナコイル）１を巻回することができるものである。
【００１６】
なお、本発明は、横断面形状のベースが円形や四角形に限定されることはなく、六角形或いはその他の形状でも構わないが、その外周部に必ず凹凸部を備えていることが不可欠の条件となる。また、凹凸部は外周部の一部に設けられても或いは外周部の全体に設けられてもよいが、外周部全体に設ける方がそのメリットは大きい。
【００１７】
本発明は、以上のような構成であるから、特に、アンテナ線支持部材の横断面外周部に凹凸部を備えたことにより同じ直径で横断面形状が単に円形或いは多角形である従来のアンテナ線支持部材に比較して外周の長さをより長くすることができ、アンテナ線は同じ長さのアンテナ線支持部材で従来よりも長く形成された外周面の形状に沿ってコイル状に巻回されている。このため、アンテナコイルの長さ、コイル径、巻きピッチ、アンテナ線支持部材の径などを変更することなしに、最適の巻き付け条件を維持しながら、同じ長さのアンテナ線支持部材に従来よりも長いアンテナ線を巻き付けることができ、或いは、従来のアンテナ線の巻き付け長さを維持しつつアンテナ線支持部材を短くすることができるという効果を奏するものである。これにより、アンテナロッドの大幅なコンパクト化を図ることができる。
【図面の簡単な説明】
【００１８】
【図１】本発明に係るアンテナロッドを示しており、図１（a）はその側面図、図１（ｂ）は図１（a）のＡ―Ａ線における第一の実施形態の拡大された横断面図、図１（ｃ）は図１（a）のＡ―Ａ線における他の実施形態の拡大された横断面図である。
【図２】図１（ｂ）及び図１（ｃ）と同様の従来技術のアンテナロッドの拡大された横断面図を示している。
【符号の説明】
【００１９】
１    アンテナ線（アンテナコイル）
２、２’、２”    アンテナ線支持部材
３    チューブ状被覆材
４    ジョイント
【図１】
0004510727.tif 000002
【図２】
0004510727.tif 000003